(57)【要約】【課題】シミや疵のある象牙や水牛の角、あるいはタグア材など、天然素材の質感や高級感を有しながら材料上の寸法規制が生じる印材を使用して、捺印し易い印鑑を提供することが可能になり、希少な印材を合理的に使用することができる支持部材付き印鑑の提供を目的とする。【解決手段】印鑑の所定の長さに欠ける印材１を使用する。該印材１の端部に支持部材２を装着し、所定長さの印鑑を構成する。印材１の印面側に被覆して印材１の露出部分を保護するカバー体３を設ける。印材１に、タグア材又は象牙又は水牛の角を使用する。カバー体３と支持部材２とを、金属材又はプラスチック材又はペット樹脂材にて形成する。支持部材２は、支持体２Ａと、操作体２Ｂと、回転体２Ｃとから成る三重構造を成す。回転体２Ｃの開口部から印材１が露出するように出没自在に設ける。【選択図】図１
0003124615.tif 000002
【実用新案登録請求の範囲】
【請求項１】
印鑑の所定の長さに欠ける印材と、該印材の端部に装着して印材の長さを所定の長さに延長する支持部材とで所定長さの印鑑を構成し、印材の印面側に被覆して印材の露出部分を保護するカバー体が設けられ、印材を、タグア材又は象牙又は水牛の角又は天然石で形成すると共に、カバー体と支持部材とを、金属材又はプラスチック材又はペット樹脂材にて形成することを特徴とする支持部材付き印鑑。
【請求項２】
前記支持部材は、前記印材の端部に外嵌する支持体と、該支持体に外嵌する操作体と、更に操作体に外嵌する回転体とから成る三重構造を成し、支持体の側面に係止突起を設け、該係止突起に係合して上下に摺動せしめる案内溝を操作体に形成し、回転体の内側面に螺旋状の回転溝部を形成し、操作体の回転操作で回転溝部内の係止突起を上下に案内することで、回転体の開口部から印材が露出するように出没自在に設けた請求項１記載の支持部材付き印鑑。
【請求項３】
前記支持部材において、前記操作体に外嵌する回転防止体を設け、該回転防止体と前記カバー体とを連結自在に設けた請求項１又は２記載の支持部材付き印鑑。
【請求項４】
前記支持部材とカバー体とは、リサイクル自在な材質で設けられた請求項１乃至３いずれか記載の支持部材付き印鑑。
【請求項５】
前記支持部材と前記カバー体とは、ネジ止め構造で連結される請求項１乃至４いずれか記載の支持部材付き印鑑。
【請求項６】
前記支持部材と前記カバー体とは、嵌合自在に連結される請求項１乃至４いずれか記載の支持部材付き印鑑。
【考案の詳細な説明】
【技術分野】
【０００１】
本考案は、希少な印材を合理的に使用することができる支持部材付き印鑑に係り、
僅かな印材でも捺印し易い長さで扱うことが可能な支持部材付き印鑑に関する。
【背景技術】
【０００２】
従来の印鑑は、高級な印材として象牙や水牛の角等が使用されている。これら象牙等は、古くより美術工芸材としても珍重され、印材の中でも最高級品として扱われているが、昨今、ワシントン条約等の規制及び動物愛護の観点から、印材に象牙等を使用することが困難になっている。
【０００３】
これら象牙等の代替品として、象牙椰子の種子（以下、タグア材と称する）が注目されている。このタグア材は、エクアドル北部及びコロンビア南部のみでしか採取することができないと言われ、大変希少である。また、タグア材は、油分を多く含有し、象牙の代用品として、古くからボタンや装飾品などの材料に使われている。そのため、タグア材を印鑑に採用した場合、その印鑑の出来栄えは、象牙で作成された印鑑の印影に遜色なく、色彩、質感も美しく、印鑑自体が破損しにくいという特性をもつことになる。この他、水晶や瑪瑙、ラピスラズリ等の天然石も珍重されているが、印材に使用可能になるこれらの天然石は極めて稀少である。
【０００４】
一方、印鑑の材質について工夫された出願が特許文献１に記載されている。この印材は、合成樹脂を使用するもので、透明な筒体と、筒体の内周面積層するシート体と、このシート体の内側に注入された合成樹脂からなるものである。
【０００５】
また、印鑑にキャップやケースを備えたものとして、たとえば特許文献２や特許文献３などが提案されている。特許文献２に記載の印鑑装置は、印鑑を収納するカバー胴体と、印鑑の印面を覆うキャップ体とからなり、キャップ体の先端に動物等のキャラクターを取り付けたものである。
【０００６】
特許文献３に記載の印鑑ホルダーは、市販の印鑑を収納する外筒に、更にカバーを装着し、外筒に対してカバーを前進させたときに、印鑑の先端部が露出するように設けられたものである。
【特許文献１】特許第３６３０６６０号公報
【特許文献２】特開２０００−２８９３１４号公報
【特許文献３】実開平６−４５７５０号公報
【考案の開示】
【考案が解決しようとする課題】
【０００７】
象牙や水牛の角等は、ワシントン条約等の規制等で、新しい材料が輸入されなくなり、既に入荷済みの材料を効率良く使用する必要が生じている。そのため、材料の一部にシミや疵があり、従来では印鑑所定の長さで使用できないような材料でも、これらの貴重な印材を合理的に用いることができる印鑑の提供が望まれていた。
【０００８】
また、前述のタグア材は、象牙椰子の中にある種子を使用するので、材料自体が小ぶりであり、これまでボタンなどの加工には適していても、印鑑として十分な長さを形成することができなかった。すなわち、印鑑においては、一般に捺印しやすいとされる最長4.5cmから6cm程度の円柱や四角柱で作成されている。ところが、タグア材を使用して印鑑を形成した場合、材料上の寸法規制が生じ、捺印しやすい所定長さの印鑑を形成することは困難である。したがって、たとえタグア材にて印鑑を形成しても、短い印鑑にならざるを得ないので、捺印し難くなるといった不都合が生じる。また、水晶や瑪瑙、ラピスラズリ等の天然石においても、印鑑の所定長さに形成可能な石は極めて稀少であるから、天然石を使用した印鑑は極めて高価な印鑑になってしまう不都合がある。
【０００９】
一方、特許文献１に記載のように、印材に合成樹脂を使用するものでは、安価な提供を可能にすることは可能でも、天然素材が有する質感や高級感を提供することは困難である。このように、印材に合成樹脂を用いたものは、たとえば、認印などの廉価な印鑑に多く使用されていても、実印や代表者印などの重要な使用を目的とする印鑑に使用されることは少ない。
【００１０】
また、特許文献２に記載の印鑑装置においては、玩具のスタンプ状を成した短い印鑑を収納するものであり、キャップ体の先端に動物等のキャラクターと、この印鑑とを別々に交換できるようにしたものである。したがって、実印や代表者印などの重要な使用を目的とする印鑑に使用されることはできない。
【００１１】
更に、特許文献３に記載の印鑑ホルダーは、市販の印鑑を収納する外筒と、この外筒を被覆するカバーと装着しているので、印鑑自体は、印鑑ホルダー内に完全に収納された状態になっている。そのため、印材自体は全く露出せず、材質自体を鑑賞することができない。したがって、希少な印材や高級な印材を使用してもその質感や高級感を鑑賞することが困難である。この結果、認め印などの使用に適していても、実印や代表者印などの重要な印鑑としての使用には適していない。
【００１２】
そこで、本考案は、上述の課題を解決すべく創出されたもので、シミや疵のある象牙や水牛の角、あるいはタグア材や天然石など、印材としての質感や高級感を有しながら材料上の寸法規制が生じる印材を使用して、捺印し易い印鑑を提供することが可能になり、希少な印材を合理的に使用することができる支持部材付き印鑑の提供を目的とするものである。
【課題を解決するための手段】
【００１３】
本考案の第１の手段は、印鑑の所定の長さに欠ける印材１と、該印材１の端部に装着して印材１の長さを所定の長さに延長する支持部材２とで所定長さの印鑑を構成し、印材１の印面側に被覆して印材１の露出部分を保護するカバー体３が設けられ、印材１を、タグア材又は象牙又は水牛の角又は天然石で形成すると共に、カバー体３と支持部材２とを、金属材又はプラスチック材又はペット樹脂材にて形成することにある。
【００１４】
第２の手段の支持部材２は、前記印材１の端部に外嵌する支持体２Ａと、該支持体２Ａに外嵌する操作体２Ｂと、更に操作体２Ｂに外嵌する回転体２Ｃとから成る三重構造を成し、支持体２Ａの側面に係止突起２Ａａを設け、該係止突起２Ａａに係合して上下に摺動せしめる案内溝２Ｂａを操作体２Ｂに形成し、回転体２Ｃの内側面に螺旋状の回転溝部２Ｃａを形成し、操作体２Ｂの回転操作で回転溝部２Ｃａ内の係止突起２Ａａを上下に案内することで、回転体２Ｃの開口部から印材１が露出するように出没自在に設けている。
【００１５】
第３の手段は、支持部材２において、前記操作体２Ｂに外嵌する回転防止体２Ｄを設け、該回転防止体２Ｄと前記カバー体３とを連結自在に設けたことにある。
【００１６】
第４の手段の支持部材２及びカバー体３は、リサイクル自在な材質で設けられている。
【００１７】
第５の手段において、支持部材２とカバー体３とは、ネジ止め構造で連結されている。
【００１８】
第６の手段において、支持部材２とカバー体３とは、嵌合自在に連結されていることを課題解消のための手段とする。
【考案の効果】
【００１９】
請求項１により、シミや疵のある象牙や水牛の角、あるいはタグア材や天然石など、印材としての質感や高級感を有しながら材料上の寸法規制が生じる印材を使用して、捺印し易い印鑑を提供することが可能になった。また、これらの貴重な印材１の露出部分をカバー体３にて保護されるので、実印や社印、代表者印など、重要な印鑑に使用することができる。
【００２０】
請求項２により、操作体２Ｂの回転操作で回転体２Ｃの開口部から印材１が露出するように出没自在に設けているので、印鑑の長さを使用者の最も使いやすい長さで使用することができる。しかも、回転体２Ｃの開口部から露出する印材１として、象牙や水牛の角、あるいはタグア材や天然石などを使用することで、天然素材が有する印材としての質感や高級感を提供することが可能である。
【００２１】
請求項３では、操作体２Ｂに外嵌する回転防止体２Ｄとカバー体３とを連結自在に設けたことにより、印鑑の長さを伸縮自在に調整する支持部材２を、印材１と共に確実に保護することができる。また、このカバー体３が回転防止体２Ｄの回転操作を防止するので、無用な操作により貴重な印材１が損傷するのを防ぐ効果もある。しかも、操作体２Ｂを回転させて印材１の長さを調整した後、操作体２Ｂに回転防止体２Ｄを装着すると、押印時において、この回転防止体２Ｄを掌の中に良好に納めることができる。この結果、極めて捺印し易い印鑑として使用することが可能になる。
【００２２】
請求項４により、支持部材２及びカバー体３を、リサイクル自在な材質で設けることで、不要になった支持部材２及びカバー体３をリサイクル活用ができる。しかも、天然素材を使用した印材１は、削り直しによって、新たな印鑑に形成することができるので、全ての材料を有効活用することが可能である。
【００２３】
請求項５及び請求項６の如く、支持部材２とカバー体３との連結手段を、ネジ止め構造や嵌合自在な構造にすることで、支持部材２やカバー体３の材質に適合した連結手段を選択することが可能である。
【００２４】
このように本考案によると、シミや疵のある象牙や水牛の角、あるいはタグア材や天然石など、印材としての質感や高級感を有しながら材料上の寸法規制が生じる希少な印材を使用して、捺印し易い印鑑を提供することが可能になり、希少な印材を合理的に使用することができる等といった実用上有益な種々の効果を奏するものである。
【考案を実施するための最良の形態】
【００２５】
本考案の最良の形態は、印鑑の所定の長さに欠ける印材１と、該印材１の端部に装着して印材１の長さを所定の長さに延長する支持部材２とで所定長さの印鑑を構成する。印材１の印面側に被覆して印材１の露出部分を保護するカバー体３を設ける。印材１は、タグア材又は象牙又は水牛の角または天然石で形成する。カバー体３と支持部材２とは、金属材又はプラスチック材又はペット樹脂材にて形成する。この支持部材２は、印材１の端部に外嵌する支持体２Ａと、該支持体２Ａに外嵌する操作体２Ｂと、更に操作体２Ｂに外嵌する回転体２Ｃとから成る三重構造を成す。そして、支持体２Ａの側面に係止突起２Ａａを設け、該係止突起２Ａａに係合して上下に摺動せしめる案内溝２Ｂａを操作体２Ｂに形成する。更に、回転体２Ｃの内側面に螺旋状の回転溝部２Ｃａを形成し、操作体２Ｂの回転操作で回転溝部２Ｃａ内の係止突起２Ａａを上下に案内し、回転体２Ｃの開口部から印材１が露出するように出没自在に設けることで、当初の目的を達成するものである。
【実施例】
【００２６】
以下、図面を参照して本考案の実施例を詳細に説明する。本考案の基本構成は、印材１と支持部材２とからなり、印材１端部に支持部材２を装着することで印鑑が形成されるものである。
【００２７】
印材１は、印鑑の所定の長さに欠ける天然材が使用される。たとえば、タグア材や象牙、水牛の角、天然石などである。タグア材は、象牙椰子の種子を使用したもので、そもそも印鑑の所定長さに形成することが困難な材質である。一方、象牙や水牛の角天然石などの印材１において、疵やシミを有するものや、印鑑を形成するには長さが足りないものなどが使用される。すなわち、従来では使用の対象とされなかったもの、あるいは使用が困難であった材料である。
【００２８】
支持部材２は、印材１の端部に装着して印材１の長さを延長することで、全体で所定の長さの印鑑に形成する部材である。この支持部材２は印材１の一端に装着固定し、印材１の印面がわを露出するようにしている。一方、露出した印材１を被覆して保護するカバー体３を設け、このカバー体３と支持部材２とを着脱自在に連結する。こうすることで、印材１は、支持部材２とカバー体３とに保護されるものになる。
【００２９】
図１乃至図３に示す支持部材２は、支持体２Ａ、操作体２Ｂ、回転体２Ｃからなる三重構造を成している。すなわち、支持体２Ａは、印材１の端部に外嵌し固定する（図２参照）。この支持体２Ａの側面には、係止突起２Ａａが設けられている。
【００３０】
操作体２Ｂは、支持体２Ａに外嵌する部材で、側面に案内溝２Ｂａを設けている。この案内溝２Ｂａは、前記係止突起２Ａａに係合して上下に摺動せしめる溝になっており、係止突起２Ａａが上下移動すると共に、支持体２Ａと印材１とが上下するものである（図２参照）。図示の操作体２Ｂは、操作体２Ｂの回転操作を容易にするために、操作体２Ｂの端部に操作部２Ｂｂを設けている。
【００３１】
回転体２Ｃは、操作体２Ｂに外嵌する部材で、回転体２Ｃの内側面に螺旋状の回転溝部２Ｃａを形成している。この回転溝部２Ｃａに、前記係止突起２Ａａを係合させておき、操作体２Ｂを回転させることで、この係止突起２Ａａを回転溝部２Ｃａに沿って移動させるものである。すなわち、操作体２Ｂを回転させると、回転溝部２Ｃａ内の係止突起２Ａａは、回転溝部２Ｃａに沿って移動しようとする。このとき、係止突起２Ａａは、既に操作体２Ｂの案内溝２Ｂａにも係止しているので、回転溝部２Ｃａ内の係止突起２Ａａの移動が上下の移動に変換されるものになる。この結果、回転体２Ｃの開口部から印材１の印面側が出没自在に露出することになるものである（図２参照）。
【００３２】
このとき、操作体２Ｂに外嵌する回転防止体２Ｄを設け、この回転防止体２Ｄと前記カバー体３とを連結自在に連結すると、印材１を出没自在に支持する支持部材２を、この回転防止体２Ｄにて保護することができる（図３参照）。また、この状態で押印する際に、回転防止体２Ｄが掌内に収まるので、例えば、連続して押印する場合でも、押印作業を疲れ難くすることができる。図示の回転防止体２Ｄは、開口部近傍の外側面に嵌合突起２Ｄaを設けてあり、カバー体３を嵌合手段で連結する（図１参照）。
【００３３】
図４に示す支持部材２とカバー体３とは、ネジ止め構造で連結されている。また、図５に示す支持部材２とカバー体３とは、嵌合自在に連結されている。これらの支持部材２は、いずれも、印材１を出没自在に支持する構造ではなく、印材１の端部に外嵌することで、印材１の長さを延長するものである。いずれの印材１も支持部材２に嵌合する状態を示しているが、嵌合した印材１と支持部材２とを接着することも可能である。
【００３４】
カバー体３や支持部材２の材質は、金属材、プラスチック材、ペット樹脂材が用いられる。金属材としては、アルミニウムやステンレス、チタンなどを使用することができる。また、ペット樹脂材のように、材料リサイクル可能な材質を使用する他、使用したプラスチック材を、ケミカルリサイクルやエネルギー回収などにリサイクルすることも可能である。
【００３５】
尚、印材１や支持部材２の形状や構造、材質等は、実施例に限定されるものではなく、各部材の寸法やデザインなど、本考案の要旨を変更しない範囲で任意に選択できるものである。
【図面の簡単な説明】
【００３６】
【図１】本考案の一実施例を示す分解斜視図である。
【図２】本考案の三重構造の支持部材を示す分解斜視図である。
【図３】本考案の使用状態を示す断面図である。
【図４】本考案の他の実施例を示す分解断面図である。
【図５】本考案の他の実施例を示す分解断面図である。
【符号の説明】
【００３７】
１ 印材
２ 支持部材
２Ａ  支持体
２Ａａ  係止突起
２Ｂ  操作体
２Ｂａ  案内溝
２Ｂｂ  操作部
２Ｃ  回転体
２Ｃａ  回転溝部
２Ｄ  回転防止体
２Ｄa  嵌合突起
３ カバー体
【図１】
0003124615.tif 000003
【図２】
0003124615.tif 000004
【図３】
0003124615.tif 000005
【図４】
0003124615.tif 000006
【図５】
0003124615.tif 000007